(57)【要約】【課題】マイクの設置スペースを有効に確保し、撮影時の駆動ノイズの低減とホールディング時へのマイクへの触れ防止を備えるストロボユニットを有するカメラを提供すること。【解決手段】カメラ本体１と、発光部を有し該カメラ本体１の上面に設けられ、カメラ本体１に対してポップアップおよびポップダウン可能なストロボユニット６と、カメラ本体１に設けられるマイク２２とを有し、ストロボユニット６は、発光部がカメラ本体１におけるマイク２２が設けられるマイク設置部２０よりも被写体側に位置するようにポップダウンし、かつ、マイク設置部２０との間に空間Ｓを形成するようにマイク設置部２０の上方にポップアップする。【選択図】  図１
2005202096.tif 000002
【特許請求の範囲】
【請求項１】
カメラ本体と、
発光部を有し、該カメラ本体の上面に設けられ、前記カメラ本体に対してポップアップおよびポップダウン可能なストロボユニットと、
前記カメラ本体に設けられたマイクとを有し、
前記ストロボユニットは、前記発光部がカメラ本体における前記マイクが設けられたマイク設置部よりも被写体側に位置するようにポップダウンし、かつ、前記マイク設置部との間に空間が形成されるように前記マイク設置部の上方にポップアップすることを特徴とするカメラ。
【請求項２】
前記マイク設置部上に、アクセサリーシューが設けられていることを特徴とする請求項１に記載のカメラ。
【請求項３】
前記マイクは、被写体側に傾斜して配置されていることを特徴とする請求項１または２に記載のカメラ。
【請求項４】
前記マイク設置部の内部に前記マイクが設けられており、該マイク設置部には複数の開口が形成されていることを特徴とする請求項１から３のいずれか１つに記載のカメラ。
【発明の詳細な説明】
【技術分野】
【０００１】
本発明は、カメラ本体に対して突出及び格納可能に構成されたポップアップ式のストロボユニットと、撮影時の音声等を記録するマイクとを有するカメラに関する。
【背景技術】
【０００２】
近年小型化するデジタルカメラにおいて、記録媒体（メモリーカード等）の高容量化によりビデオカメラのように長時間動画撮影が可能となり、動画時の音声を集音する為にマイクが備え付けられている。
【０００３】
また、動画対応により高倍率ズームレンズを採用し、この場合ズーミングをした時に突出した鏡筒でストロボ光がケラレ無い様にポップアップストロボを採用しているもの多くなっている。
【０００４】
特許文献１には、ポップアップするストロボ装置と該ストロボ装置の上方に集音マイクを備えるビデオカメラに係る技術が開示されている。この特許文献１は、集音マイクをビデオカメラ本体から遠ざける位置に配置することで、ビデオカメラ本体で発生するモーターノイズ等が集音マイクに集音されないようにするものである。
【特許文献１】特開２００３−１０１８３４号公報（段落００１４、図２等）
【発明の開示】
【発明が解決しようとする課題】
【０００５】
しかしながら、前述した従来技術では、デジタルカメラのレイアウト上の配置スペースの関係からマイクの配置において、カメラ正面側の撮影レンズ近傍やカメラ上面側の撮影時使用する操作ボタンの近傍、若しくは撮影時にホールディングする時にマイク部に触れ易い位置等に設置され、特許文献１では、上述のようにストロボ装置の上方に設置されている。
【０００６】
このようなマイクの配置条件では、マイクに手や物が触れてしまう可能性が高く、マイク自体に接触して生じるノイズやカメラ筐体への手の擦り音や操作ボタン音、カメラ本体の前方にある撮影レンズのズーム駆動音等のノイズを集音マイクが拾ってしまう可能性がある。
【０００７】
よって、実際の動画撮影時における本来の音声のＳ／Ｎ比を悪化させてしまうという問題を生じさせてしまう。
【０００８】
また、上記特許文献１のようなマイクの配置位置は、集音マイクに手や物が接触した際、その衝撃等で集音マイクが故障してしまう課題を有しており、上述の従来技術も含めマイクの設置スペースを有効に確保していない問題点がある。さらには、上記特許文献１においてストロボ装置とマイクユニットを別体で構成した場合、ポップアップ機構が複雑になり部品点数も多く、スペース効率が低下し、逆に、ストロボ装置とマイクユニットを一体に形成した場合は、形状的に大きくなってしまう課題も有している。
【０００９】
本発明は、このような事情に鑑みてなされたもので、マイクの設置スペースを有効に確保し、撮影時の駆動ノイズの低減とホールディング時におけるマイクへの触れ防止を図ることができるようにしたストロボユニットを有するカメラを提供することを目的とする。
【課題を解決するための手段】
【００１０】
上記目的を達成する為に、本願発明のカメラは、カメラ本体と、発光部を有し、該カメラ本体の上面に設けられ、前記カメラ本体に対してポップアップおよびポップダウン可能なストロボユニットと、前記カメラ本体に設けられたマイクとを有し、前記ストロボユニットは、前記発光部がカメラ本体における前記マイクが設けられたマイク設置部よりも被写体側に位置するようにポップダウンし、かつ、前記マイク設置部との間に空間が形成されるように前記マイク設置部の上方にポップアップすることを特徴とする。
【００１１】
また、前記マイク設置部上に、アクセサリーシューを設ける構成とすることが望ましい。
【００１２】
また、前記マイクが被写体側に傾斜して配置されている構成とすることが望ましい。
【００１３】
また、前記マイク設置部の内側に前記マイクが設けられており、該マイク設置部には複数の開口が形成されている構成とすることが望ましい。
【発明の効果】
【００１４】
本発明によれば、ポップアップ状態及びポップダウン状態におけるストロボユニットの動作（発光部がカメラ本体に格納されている格納位置（ポップダウン）とカメラ本体から突出される露呈位置（ポップアップ）とに移動する動作）を妨げないスペースにマイクが配置されるため、スペース上制限のあるカメラ等の撮像装置に設けられるマイクの設置スペースを有効に確保でき、カメラ本体の小型化、軽量化が実現可能される。
【００１５】
また、マイク設置部との間に形成される空間により、ポップアップ状態においても被写体側からの音がストロボユニットによって阻害されずにマイクに入るので、ポップアップ状態及びポップダウン状態におけるマイクの集音性が安定して確保され、かつ、録画動作中のカメラホールディングにおける直接的なマイクへの接触が防止され、手の擦り音などのノイズを低減し、録画撮影時の本来の音声の集音が出来る。
【００１６】
さらに、マイク設置部上にアクセサリーシューを設ける構成としているので、アクセサリーシューの設置場所がストロボユニットに確保され、設置スペースの有効利用がさらに図られる。よって、さらなる部品点数の低減及びカメラの軽量化、小型化に貢献することができる。
【００１７】
さらには、マイクが被写体側に傾斜して配置されているので、カメラ本体の前方（被写体側）の指向性を向上させることが可能となる。
【００１８】
また、前記マイク設置部の内側にマイクが設けられて、該マイク設置部には複数の開口が形成されている構成とすることで、マイクの集音性を向上させることができ、カメラ上方側の該開口は撮影者のアフレコ等を入れる際の指向性をも確保することができる。
【発明を実施するための最良の形態】
【００１９】
以下に本発明の実施例について説明する。
【実施例１】
【００２０】
以下、本発明に係るカメラ及びストロボユニットの第１の実施形態を図１〜図１１に基づいて説明する。
【００２１】
図１０、図１１は本発明に係るストロボユニットが適用される撮像装置である電子スチルカメラの外観構成を示す斜視図であり、図１０はストロボユニットがポップダウン（格納位置に格納されている）状態、図１１はストロボユニットがポップアップ（露呈位置に突出されている）状態を示した図である。
【００２２】
１はカメラ本体で、レンズ鏡筒２、ファインダ３、電源ボタン４、レリーズボタン５、ストロボユニット６がそれぞれ配設され、ストロボユニット６にはマイク２２が配設されるマイク設置部２０が設けられている。カメラ本体１の図示しない背面部には、ファインダ接眼部や液晶表示パネル、操作キー等が配設される。
【００２３】
そして、ストロボユニット６は、例えばカメラ本体１の内（図示されている上面或いは側面）に配設された所定の不示図のポップアップボタンを押すと、ストロボユニット６はマイク設置部２０との間に後述する空間Ｓを形成するようにマイク設置部２０の上方にポップアップし、このポップアップ状態からストロボユニット６の上面をカメラ本体１内に格納する方向に手で押し込むと、ストロボ発光部１０Ａがマイク設置部２０よりも被写体側に位置するようにポップダウンし、ストロボユニット６の前面側がカメラ本体１内に格納されてストロボユニット６がポップダウン位置でロックされるようになっている。
【００２４】
次に、図８は、本発明に係るストロボユニット６の構成部材を示した分解斜視図であり、図１は本発明に係るストロボユニット６のユニット及びマイク２２の内部構成部材を示した断面図である。
【００２５】
ストロボユニット６のストロボ発光部１０Ａは、周知のフレネルパネル１０、反射傘１１、放電管１２、放電管ゴム１３、トリガーコイル１４で構成され、プラスティック等の非導電性材料で形成された下ケース７と上ケース８によって被覆されると共に、下ケース７、上ケース８内に接着等の固定手段で保持される。なお、下ケース７と上ケース８の保持は、下ケース７上に形成されている不図示の爪と上ケース８上に形成されている不図示の穴にパッチン等の係止手段により係止され、さらに、下ケース７に形成されている穴７ｂに、ポップダウン位置でストロボユニット６を係止する為のロック板１７が不図示のビス等の係止手段により係止される。そして、下ケース７、上ケース８は、カメラ本体１におけるマイク２２が配置されるベース板２１Ａ、ベース部材２１Ｂ（マイク設置部２０）を取り囲むようにコ字状若しくはＵ字状に形成されている。
【００２６】
マイク２２は、撮影時の映像に対応した音声等を集音する集音機能を備えた周知のマイクであり、ステレオ機能等を有するステレオマイクで構成してもよい。
【００２７】
マイクゴム２３は、マイク２２の上方以外を包み込むように形成され、好ましくは合成樹脂等の弾性体で形成し、マイク２２の周囲に配置される。このマイクゴム２３は、ベース板２１Ａに形成されている穴２１ｄに係止され、その上面からベース部材２１Ｂが被覆されている。
【００２８】
また、ベース部材２１Ｂのマイク２２の上面には、集音する為の開口２０ｅが複数個配設されている。このベース部材２１Ｂの上面（マイク２２の上方側）にはアクセサリーシュー３０が配設され、このアクセサリーシュー３０は、開口２０ｅを塞がないように開口２０ｅを避けて配置することが望ましく、アクセサリーシュー３０に開口を設ける構成でもよい。
【００２９】
さらに、マイクゴム２３は、カメラ筐体内の振動などを直接マイク２２に与えないようにする効果とカメラ筐体内外の直接音が入り込まない様にベース部材２１Ｂにマイクゴム２３を組み込む事によりマイク２２を密閉し、振動等の余計なノイズが入らないようにしている。
【００３０】
本発明では、ストロボユニット６を上述のように、下ケース７と上ケース８、マイク２２、ベース板２１Ａ、ベース部材２１Ｂ等でユニット化してカメラ本体１とは別部材としているが、カメラ本体１とベース板２１Ａやベース部材２１Ｂを一体に形成しても同様の効果が得られる。
【００３１】
このように構成されたマイク２２はマイク設置部２０、すなわち本実施例ではベース板２１Ａ及びベース部材２１Ｂで構成されるベース材等が配設される箇所に設置されている。
【００３２】
次に、ストロボユニット６のカメラ本体１に対しての回転機構部について図８を基に、図２〜図３、図５を参照しながら説明する。
【００３３】
ベース部材２１Ｂにベース板２１Ａが不図示のビス等の係止手段により係止され、ベース板２１Ａは不図示の取り付け手段によりカメラ本体１のアースに取り付けられている。
【００３４】
そして、このベース部材２１Ｂ上に形成されている穴２０ａと下ケース７上に形成されている穴７ａを合わせ、それぞれの支持部材１５を穴７ａ、穴２０ａのそれぞれに通してベース板２１Ａに形成されているタップ穴２１ａに係止する。
【００３５】
又、その片側には下ケース７上に形成されている不図示の座部にバネ１６を入れた後、支持部材１５を穴７ａ、穴２０ａのそれぞれに通してベース板２１Ａに形成されているタップ穴２１ａに係止する。
【００３６】
さらに、下ケース７上に形成されている鍵状ボス７ｄにガイドレバー１８上に形成されている長穴１８ｂを通して、さらにガイドレバー１８上に形成されている穴１８ａとベース部材２１Ｂ上に形成されている穴２０ｂに支持部材１９をそれぞれに通してベース板２１に形成されているタップ穴２１ｂに係止する。尚、支持部材１９とガイドレバー１８は摺動可能な嵌合で係止されている。
【００３７】
これによりケース７が支持部材１５を回転中心として回転可能となり、下ケース７、上ケース８等の全体が回転可能となる。尚バネ１６の付勢する方向はストロボユニット６がポップアップされている方向の矢印Ｂに付勢され、支持部材１９を回転中心にしてガイドレバー１８の長穴１８ｂが下ケース７上に形成されている鍵状ボス７ｄの動作に連動して、最終的に鍵状ボス７ｄの一端と長穴１８ｂが突き当たり、ストロボ発光部のポップダウン位置となる。また、その組み上がった状態からケースカバー９上に形成される穴９ａが下ケース７上に形成されるボス７ｃにパッチン等の係止手段により係止されている。
【００３８】
次に、ポップダウン位置でストロボユニット６を係止する為の緊定ユニット２４Ａについて図８を基に、図５〜図７を参照しながら説明する。
【００３９】
２５は、緊定ユニット２４Ａの各部材を保持する為の緊定ベースであり、２５ａは緊定ベース２５上にカシメられている軸である。この緊定ベース２５には、コイルが無通電状態にある時は、マグネットに発生する磁気吸引力によって鉄片２４ａが吸着され、コイルが通電状態にされるとコイルに発生する電磁力によりマグネットの磁気力が消滅し鉄片２４ａが押し出されるプランジャー２４が不図示のビス等の係止手段で係止されている。
【００４０】
２６は、ストロボユニット６をポップダウン位置で保持する為の緊定レバーであり、２６ａは緊定レバー２６上にカシメられるメタルである。
【００４１】
そして、緊定レバー２６と緊定ベース２５の間にはストロボユニットをポップダウン位置に保持する為の緊定バネ３０が掛けられている。
【００４２】
さらに、２７は、緊定レバー２６を解除する為に関与する解除レバー、２７ａは解除レバー２７上にカシメられるメタル、２８はストロボユニット６のアップダウンに応じてこの解除レバー２７を回動させる緊定軸である。
【００４３】
２９は、解除レバー２７に組み込まれ、その一端がプランジャー２４の鉄片２４ａ（不図示の切り欠き部）に通されている解除バネで、それらの部品を組み合わせた後に軸２５ａにＥリング３１で係止する。
【００４４】
上記構成によれば、メタル２６ａは軸２５ａに対して係合し、メタル２７ａは、メタル２６ａに係合しており、全ての部材を同一軸上に積み重ねて係合させる事によりスペース効率改善をはかっている。さらに軸２５ａ及びメタル２６ａには係合部に複数の溝形状を形成しており接触面積を減少させ、緊定ユニット２４Ａの作動を安定させている。
【００４５】
そして、これらの緊定ユニット２４Ａをベース部材２１Ｂに組み込む際にベース部材２１Ｂに形成されている穴２０ｄに緊定軸２８を通し、穴２０ｃに緊定レバー２６を通して、不図示のビス等の係止手段でベース板２１ｃ面に係止する。
【００４６】
次に、ストロボユニットのポップアップ時の動作を図５〜図７に基づいて説明する。
【００４７】
まず、図５においてのポップダウン位置では、緊定バネ３０がＡ方向に付勢されているので緊定レバー２６がロック板１７に引っ掛かってロック状態になっている。
【００４８】
また、プランジャー２４には不図示の電気回路よりの通電がされていない状態である為、マグネットに発生する磁気吸引力によって鉄片２４ａが吸着されている。この時、解除バネ２９は緊定軸２８が下ケース７に当接してバネチャージ状態となっているが、解除バネ２９のバネ力はプランジャー２４の吸引力よりも弱く設定している。このバネ力の理由は、プランジャー２４の吸引力より勝ってしまった場合、不意の振動等でプランジャー２４の鉄片２４ａが抜け出てしまうと、緊定レバー２６が押し出されてストロボユニット６がポップアップしてしまい、鉄片２４ａがプランジャー２４の吸引力で戻らなくなってしまい、ストロボユニット６がダウン出来ない状況になる為である。
【００４９】
次に、図６において、図５の状態から不図示の電気回路より通電される事で、プランジャー２４のコイルに発生する電磁力によりマグネットの磁気力が消滅し、吸引力が無くなった鉄片２４ａを解除バネ２９が矢印Ｃ方向に押し出し、緊定レバー２６を回動させる為、緊定レバー２６がロック板１７から解除し、ストロボユニット６がポップアップする。この動作と連動して解除レバー２７が解除バネ２９のバネ力によって緊定軸２８を押し上げる。
【００５０】
この時プランジャー２４に通電するパルス時間は数ｍｓなので、緊定レバー２６を解除した後は、プランジャー２４のマグネットに発生する磁気吸引力によって鉄片２４ａが戻される。また、緊定レバー２６は緊定バネ３０のバネ力により矢印Ａ方向に不勢される。
【００５１】
次に、ストロボユニット６のポップダウン時の動作を図７、図１０〜図１１を参照して説明する。
【００５２】
ストロボユニット６のポップダウンはケースカバー９を手動操作にてポップダウン位置まで押し下げる。この時、緊定レバー２６がロック板１７に当接しながら回動し、ポップダウン位置では緊定レバー２６が緊定バネ３０の付勢によりロック板１７にロックされる。また、その動作に連動して、緊定軸２８が下ケース７に当接しながら押し下げられる事で、解除レバー２７が回動して解除バネ２９がチャージする方向に付勢される。
【００５３】
したがって、図９に示すようにストロボユニット６は、マイク設置部２０に配置されるマイク２２とストロボ発光部１０Ａとの間に空間Ｓが形成されるようにマイク設置部２０の上方にポップアップする。逆にいうと、ポップアップ状態においてストロボ発光部１０Ａの下方に形成される空間Ｓを介したカメラ本体１にマイク２２を設置するマイク設置部２０が確保される。よって、ストロボユニット６のポップダウン及びポップアップ動作を妨げることなく、ポップアップ状態においても被写体側からの音がストロボユニット６によって阻害されずにマイク２２に入るので、カメラの限られた設置スペースを有効に活用してマイク２２を設置することができる。
【００５４】
また、ストロボユニット６に配置されるマイク２２に対して、録画動作中のカメラホールディングにおける直接的な接触が防止され、手の擦り音などのノイズを低減し、録画撮影時の本来の音声の集音ができる。なお、直接的なマイクへ接触が防止されることで、マイク２２の損傷防止にも貢献している。
【００５５】
また、カメラ本体１の上面の中央付近にストロボユニット６が設置される場合は、操作する者の手がマイクに触れる可能性がより低くなり、かつ、レンズ駆動源から離れた位置にマイク２２が配置されることになり、録画動作中にレンズのズーム動作音などのノイズも低減され、録画撮影時の本来の音声の集音が可能となる。
【００５６】
さらには、このポップアップ状態からストロボ発光部１０Ａがマイク設置部２０よりも被写体側に位置するようにポップダウンした状態においても、上記と同様の効果が奏され、マイク２２をカメラ本体１の上方向に向けて設けていることから、撮影者のナレーションやアフレコ等を入れる際の指向性も確保している。
【実施例２】
【００５７】
次に、本発明に係るストロボユニットを有するカメラの第２の実施形態について詳説する。
【００５８】
図１２は本発明を適用した第２の実施の形態に係るストロボユニット６及びマイク２２の内部構成部材を示した断面図である。尚ストロボユニット６の詳細な構造、マイク２２及びマイク２２の取り付け構造は、上述の第１の実施例と同様である為、説明は省略する。
【００５９】
第１の実施例ではマイク２２が垂直（上方向）に配設していたが、第２の実施例ではマイク２２を被写体側、即ち、カメラ前方方向にも指向性を持たせる為に被写体側に傾けて配設させている。尚、その傾きに合わせてベース部材２１Ｂに開口２０ｅ、開口２０ｆを複数個配設させている。これによりカメラ前方の被写体に対しての指向角が広がる効果を奏する。
【００６０】
以上、実施例以外にも本発明は、１眼レフカメラ、レンズシャッタカメラ、ビデオカメラ、デジタルカメラ等種々の形態のカメラに対しても適用できるものである。
【図面の簡単な説明】
【００６１】
【図１】本発明の第１の実施形態に係るストロボユニット及びマイクの内部構成部材を示した断面図である。図４におけるＡ−Ａ断面図である。
【図２】本発明の第１の実施形態に係るストロボユニットの左側面図であって、ストロボユニットのポップダウン状態を示した図である。
【図３】本発明の第１の実施形態に係るストロボユニットの左側面図であって、ストロボユニットのポップアップ状態を示した図である。
【図４】本発明の第１の実施形態に係るストロボユニットの上面図である。
【図５】本発明の第１の実施形態に係るストロボユニットの右側面図であって、ストロボユニットのポップダウン状態を示した図である。
【図６】本発明の第１の実施形態に係るストロボユニットの右側面図であって、ストロボユニットがポップダウン状態で格納状態のロックが解除された状態を示した図である。
【図７】本発明の第１の実施形態に係るストロボユニットの右側面図であって、ストロボユニットがポップアップ位置にポップアップされている状態を示した図である。
【図８】本発明の第１の実施形態に係るストロボユニット構成部材を示した分解斜視図である。
【図９】本発明の第１の実施形態に係るストロボユニットの模式図であり、（ａ）は正面図、（ｂ）は側面図である。
【図１０】本発明の第１の実施形態に係るストロボユニットが適用される電子スチルカメラの外観構成を示す斜視図であって、ストロボユニットがポップダウン位置に格納されている状態を示した図である。
【図１１】本発明の第１の実施形態に係るストロボユニットが適用される電子スチルカメラの外観構成を示す斜視図であって、ストロボユニットがポップアップ位置にポップアップされている状態を示した図である。
【図１２】本発明の第２の実施形態に係るストロボユニット及びマイクの内部構成部材を示した断面図である。
【符号の説明】
【００６２】
１        カメラ本体
２        鏡筒
３        ファインダ
４        電源ボタン
５        レリーズボタン、
６        ストロボユニット
７        下ケース
８        上ケース
９        ケースカバー
１０Ａ    発光部
１５      支持部材
１８      弾性部材
２０      マイク設置部
２０ｅ    開口
２１Ａ    ベース板
２１Ｂ    ベース部材
２２      集音マイク
２４Ａ    緊定ユニット 
３０      アクセサリーシュー
【図１】
2005202096.tif 000003
【図２】
2005202096.tif 000004
【図３】
2005202096.tif 000005
【図４】
2005202096.tif 000006
【図５】
2005202096.tif 000007
【図６】
2005202096.tif 000008
【図７】
2005202096.tif 000009
【図８】
2005202096.tif 000010
【図９】
2005202096.tif 000011
【図１０】
2005202096.tif 000012
【図１１】
2005202096.tif 000013
【図１２】
2005202096.tif 000014